(57)【要約】【課題】ＶＳＷＲ特性の広帯域化を実現して１種類のアンテナで複数系統を共用でき、鉄塔の建設コストを低減できるコーナーリフレクタアンテナを提供する。【解決手段】コーナー反射板１１の中央部に配置する給電部１３は、（＋）側平行線路２２ａ及び（−）側平行線路２２ｂを備え、（−）側平行線路２２ｂに平行して給電管１４を設ける。（＋）側平行線路２２ａの上端に第１の給電端子、（−）側平行線路２２ｂの上端に第２の給電端子を設け、この第２の給電端子に給電管１４の中心導体１４１を接続し、第１の給電端子と第２の給電端子との間をジャンパー３６により接続する。（＋）側平行線路２２ａの上端部に（＋）側放射素子５１ａを装着し、（−）側平行線路２２ｂの上端部に（−）側放射素子５１ｂを装着する。（＋）側放射素子５１ａ及び（−）側放射素子５１ｂは、上縁がジャンパー３６より高くなるように幅を拡張し、ジャンパー３６に容量結合させる。【選択図】図２
2012151567.tif 000002
【特許請求の範囲】
【請求項１】
コーナー反射板と、前記コーナー反射板の内側中央部に設けられる給電部と、前記給電部の上端部に設けられる放射素子とを具備してなるコーナーリフレクタアンテナにおいて、
前記給電部は、（＋）側平行線路及び（−）側平行線路からなる平行線路と、前記（−）側平行線路に平行して配設される給電管と、前記（＋）側平行線路の上端に突出して設けられる第１の給電端子と、前記（−）側平行線路の上端に突出して設けられ、前記給電管の中心導体に接続される第２の給電端子と、前記第１の給電端子と前記第２の給電端子との間を接続するジャンパーとを備え、
前記放射素子は、前記（＋）側平行線路の上端部に装着される（＋）側放射素子と、前記（−）側平行線路の上端部に装着される（−）側放射素子からなり、該（＋）側放射素子及び（−）側放射素子の上縁が前記ジャンパーの位置より高くなるように幅を拡張して形成し、前記放射素子とジャンパーとの間を容量結合させたことを特徴とするコーナーリフレクタアンテナ。
【請求項２】
前記放射素子は、（＋）側放射素子及び（−）側放射素子の上縁中央部に所定長さの突部を形成したことを特徴とする請求項１に記載のコーナーリフレクタアンテナ。
【請求項３】
前記放射素子は、（＋）側放射素子の長さを（−）側放射素子より長く形成し、平行線路による前記（＋）側放射素子への給電信号の低域周波数における位相の遅れを補償するように構成したことを特徴とする請求項１又は請求項２に記載のコーナーリフレクタアンテナ。
【発明の詳細な説明】
【技術分野】
【０００１】
本発明は、ＶＳＷＲ特性の広帯域化を実現したコーナーリフレクタアンテナに関する。
【背景技術】
【０００２】
従来、ＴＶ放送や通信の電波を送信するアンテナの１つとしてコーナーリフレクタアンテナが用いられている（例えば、特許文献１参照。）。
【０００３】
従来のコーナーリフレクタアンテナ、例えばＵＨＦ−ＴＶ帯に使用されるコーナーリフレクタアンテナでは、ＵＨＦ−ＴＶ帯を以下に示すように、Ａ、Ｂ、Ｃ、Ｄの４バンドに区分し、更に各バンド内を４バンド区分し、合計１６バンド区分してＶＳＷＲ規格を規定している。
【０００４】
Ａバンド：４４〜６２ｃｈ
Ａ１：４４〜５０ｃｈ（６５６〜６９８ＭＨｚ）
Ａ２：４８〜５４ｃｈ（６８０〜７２２ＭＨｚ）
Ａ３：５２〜５８ｃｈ（７０４〜７４６ＭＨｚ）
Ａ４：５６〜６２ｃｈ（７２８〜７７０ＭＨｚ）
Ｂバンド：３３〜４７ｃｈ
Ｂ１：３３〜３８ｃｈ（５９０〜６２６ＭＨｚ）
Ｂ２：３６〜４１ｃｈ（６０８〜６４４ＭＨｚ）
Ｂ３：３９〜４４ｃｈ（６２６〜６６２ＭＨｚ）
Ｂ４：４２〜４７ｃｈ（６４４〜６８０ＭＨｚ）
Ｃバンド：２３〜３５ｃｈ
Ｃ１：２３〜２７ｃｈ（５３０〜５６０ＭＨｚ）
Ｃ２：２５〜２９ｃｈ（５４２〜５７２ＭＨｚ）
Ｃ３：２７〜３２ｃｈ（５５４〜５９０ＭＨｚ）
Ｃ４：３０〜３５ｃｈ（５７２〜６０８ＭＨｚ）
Ｄバンド：１３〜２５ｃｈ
Ｄ１：１３〜１７ｃｈ（４７０〜５００ＭＨｚ）
Ｄ２：１５〜１９ｃｈ（４８２〜５１２ＭＨｚ）
Ｄ３：１７〜２２ｃｈ（４９４〜５３０ＭＨｚ）
Ｄ４：２０〜２５ｃｈ（５１２〜５４８ＭＨｚ）
上記ＵＨＦ−ＴＶ帯等に使用される従来のコーナーリフレクタアンテナは、図１１に示すように構成されている。図１１は従来のコーナーリフレクタアンテナ１０の全体の構成を示したもので、（ａ）は正面図、（ｂ）は側面図である。
【０００５】
図１１（ａ）、（ｂ）において、１１は例えば９０度のコーナー反射板で、その中央部には水平方向に給電部取付基板１２が設けられており、この給電部取付基板１２に詳細を後述する給電部１３が取付けられる。この給電部１３は、給電管１４の後端部が給電部取付基板１２から後方に所定長さ突出して設けられ、その先端部にフランジ１５ａ、１５ｂを介して給電用コネクタ１６が取付けられる。この給電用コネクタ１６には、給電用同軸ケーブル１７が接続されている。そして、上記給電部１３の上端部に放射素子２３が設けられる。
【０００６】
また、上記コーナー反射板１１の正面には、例えば合成樹脂等により構成した防雪カバー１８が設けられる。なお、前記防雪カバー１８の側部１８ａは垂直偏波時に天空方向を向くため、雪の重さに耐えるように例えばアルミニューム板等の金属板によりに構成される。
【０００７】
上記給電部１３及び放射素子２３は、図１２（ａ）、（ｂ）に示すように構成される。
【０００８】
図１２は上記コーナーリフレクタアンテナ１０における給電部１３及び放射素子２３の詳細な構成を示したもので、（ａ）は正面図、（ｂ）は平面図である。図１３は図１２における放射素子２３を取り出して示す正面図である。
【０００９】
図１２（ａ）、（ｂ）において、２１は給電部１３をコーナー反射板１１の給電部取付基板１２に取付けるための金属製の台座で、この台座２１の上に（＋）側平行線路２２ａ及び（−）側平行線路２２ｂからなる平行線路２２が設けられる。上記（＋）側平行線路２２ａ及び（−）側平行線路２２ｂは、断面が略Ｌ字型に形成され、その一辺が所定の間隔を保って平行に設けられる。また、上記（−）側平行線路２２ｂには、上端部及び下端部近傍の角部に切欠き３０ａ、３０ｂが設けられる。
【００１０】
上記（＋）側平行線路２２ａ及び（−）側平行線路２２ｂの上端部には、ダイポールアンテナを構成する放射素子２３すなわち（＋）側放射素子２３ａ及び（−）側放射素子２３ｂが装着される。上記（＋）側放射素子２３ａは、内側端部が（＋）側平行線路２２ａの上端部にボルト２４により固定され、（−）側放射素子２３ｂは、内側端部が（−）側平行線路２２ｂの上端部にボルト２５により固定される。
【００１１】
上記（＋）側放射素子２３ａ及び（−）側放射素子２３ｂは、図１３に示すように長さＬ１が約０．２０λａ、幅Ｗ１が約０．０４λａの同じ大きさの長方形状に形成され、相対向する端部に近接して固定用のボルト穴２６、２７が設けられている。上記λａは各区分バンドにおける中心周波数の波長を示している。
【００１２】
上記（＋）側放射素子２３ａ及び（−）側放射素子２３ｂは、（＋）側平行線路２２ａ及び（−）側平行線路２２ｂに装着された際、上側縁が（＋）側平行線路２２ａ及び（−）側平行線路２２ｂの上端部と一致するように各部の寸法が設定される。
【００１３】
また、上記（＋）側平行線路２２ａと（−）側平行線路２２ｂとの間には、トラップ２８が移動可能に設けられる。
【００１４】
そして、（−）側平行線路２２ｂの内側に沿って給電管１４が設けられる。この給電管１４は、平行線路２２より長く設定され、上端が平行線路２２の上端に一致し、下端部が平行線路２２より所定長さ下方に突出するように配置される。また、給電管１４は中心導体１４１及び外部導体１４２からなり、下端部に図１１に示したフランジ１５ａが設けられる。
【００１５】
上記（−）側平行線路２２ｂには、切欠き３０ａ、３０ｂ部分に例えばウォームバンド等の金属バンド３１ａ、３１ｂを取付け、この金属バンド３１ａ、３１ｂにより給電管１４及び（−）側平行線路２２ｂを共に締め付けて固定すると共に、給電管１４を（−）側平行線路２２ｂに電気的に接触させる。
【００１６】
また、給電管１４の中心導体１４１は、上端外周にネジ部３２が形成されており、このネジ部３２が外部導体１４２の中央部に設けられた透孔内を絶縁した状態で下方から上方に突出して設けられる。
【００１７】
そして、中心導体１４１には、外部導体１４２の上端より突出させたネジ部３２にナット３４を螺着すると共に、そのナット３４の上にジャンパー３６を介在してナット３５を螺着し、締め付けてジャンパー３６の一方の端部を固定する。
【００１８】
一方、（＋）側平行線路２２ａは、上端に基板３３が設けられ、この基板３３の中央部にボルト穴が設けられる。このボルト穴に下方から上方に突出するようにボルト３７が挿入され、その上側にナット３８が螺着されて固定される。また、ボルト３７には、ナット３８上にジャンパー３６の他方の端部を介在してナット３９を螺着し、ジャンパー３６を固定する。これにより給電管１４の中心導体１４１がジャンパー３６を介して（＋）側平行線路２２ａに接続される。上記放射素子２３とジャンパー３６の中心との間隔Ｄは、約０．０３λａに設定される。
【００１９】
上記のように構成されたコーナーリフレクタアンテナ１０は、給電用同軸ケーブル１７（図１１参照）により給電部１３の平行線路２２を介して（＋）側放射素子２３ａ及び（−）側放射素子２３ｂに給電され、該（＋）側放射素子２３ａ及び（−）側放射素子２３ｂから外部空間へ電波が放射される。
【先行技術文献】
【特許文献】
【００２０】
【特許文献１】特開２００６−３１９４９２号公報
【発明の概要】
【発明が解決しようとする課題】
【００２１】
図１４は、上記従来のコーナーリフレクタアンテナ１０をＤ１バンド（１３〜１７ｃｈ：４７０〜５００ＭＨｚ）に設定した場合におけるＶＳＷＲ特性例であり、横軸に周波数（ＭＨｚ）をとり、縦軸にＶＳＷＲをとって示した。
【００２２】
従来のコーナーリフレクタアンテナ１０は、Ｄ１バンドを例として示したように帯域幅が狭く、Ａ、Ｂ、Ｃ、Ｄの各バンドを更に４バンド区分した帯域幅となっている。
【００２３】
図１４はコーナーリフレクタアンテナ１０をＤ１バンドに設定した場合のＶＳＷＲ特性例を示したが、その他のバンドに設定した場合においても、Ａ、Ｂ、Ｃ、Ｄの各バンドを更に４バンド区分した帯域幅となっている。
【００２４】
このため例えばＤ１バンド内の１ｃｈとＤ４バンド内の１ｃｈを同一場所から送信したい場合、アンテナをＤ１バンド用とＤ４バンド用の２種類設置する必要があり、アンテナの設置数が増加することになる。この場合、１つの鉄塔に複数系統のアンテナを設置するスペースが無い場合には別の鉄塔を建設する必要があり、鉄塔の建設コストが増大するという問題がある。
【００２５】
本発明は上記の課題を解決するためになされたもので、ＶＳＷＲ特性の広帯域化を実現して１種類のアンテナで複数系統を共用でき、鉄塔の建設コストを低減することができるコーナーリフレクタアンテナを提供することを目的とする。
【課題を解決するための手段】
【００２６】
第１の発明は、コーナー反射板と、前記コーナー反射板の内側中央部に設けられる給電部と、前記給電部の上端部に設けられる放射素子とを具備してなるコーナーリフレクタアンテナにおいて、
前記給電部は、（＋）側平行線路及び（−）側平行線路からなる平行線路と、前記（−）側平行線路に平行して配設される給電管と、前記（＋）側平行線路の上端に突出して設けられる第１の給電端子と、前記（−）側平行線路の上端に突出して設けられ、前記給電管の中心導体に接続される第２の給電端子と、前記第１の給電端子と前記第２の給電端子との間を接続するジャンパーとを備え、
前記放射素子は、前記（＋）側平行線路の上端部に装着される（＋）側放射素子と、前記（−）側平行線路の上端部に装着される（−）側放射素子からなり、該（＋）側放射素子及び（−）側放射素子の上縁が前記ジャンパーの位置より高くなるように幅を拡張して形成し、前記放射素子とジャンパーとの間を容量結合させたことを特徴とする。
【００２７】
第２の発明は、前記第１の発明に係るコーナーリフレクタアンテナにおいて、前記放射素子は、（＋）側放射素子及び（−）側放射素子の上縁中央部に所定長さの突部を形成したことを特徴とする。
【００２８】
第３の発明は、前記第１又は第２の発明に係るコーナーリフレクタアンテナにおいて、前記放射素子は、（＋）側放射素子の長さを（−）側放射素子より長く形成し、平行線路による前記（＋）側放射素子への給電信号の低域周波数における位相の遅れを補償するように構成したことを特徴とする。
【発明の効果】
【００２９】
本発明によれば、ＶＳＷＲ特性の広帯域化を実現して１種類のアンテナで複数系統を共用でき、鉄塔の建設コストを低減することができる。
【図面の簡単な説明】
【００３０】
【図１】本発明の実施例１に係るコーナーリフレクタアンテナの全体の構成を示し、（ａ）は正面図、（ｂ）は側面図である。
【図２】実施例１に係るコーナーリフレクタアンテナにおける給電部及び放射素子部分の構成を示し、（ａ）は正面図、（ｂ）は平面図である。
【図３】図２における放射素子部分を取り出して示す正面図である。
【図４】図２における給電管及びジャンパー取付け部の詳細な構成を示し、（ａ）は要部斜視図、（ｂ）は要部断面図である。
【図５】実施例１に係るコーナーリフレクタアンテナのＶＳＷＲ特性例を示す図である。
【図６】実施例１に係るコーナーリフレクタアンテナのＥ面指向性を示す図である。
【図７】本発明の実施例２に係る給電部及び放射素子部分の構成を示し、（ａ）は正面図、（ｂ）は平面図である。
【図８】図７における放射素子部分を取り出して示す正面図である。
【図９】実施例２に係るコーナーリフレクタアンテナのＥ面指向性を示す図である。
【図１０】実施例１に係るコーナーリフレクタアンテナのＥ面指向性と実施例２に係るコーナーリフレクタアンテナのＥ面指向性とを比較して示す図である。
【図１１】従来のコーナーリフレクタアンテナの全体の構成を示し、（ａ）は正面図、（ｂ）は側面図である。
【図１２】従来のコーナーリフレクタアンテナにおける給電部及び放射素子部分の構成を示し、（ａ）は正面図、（ｂ）は平面図である。
【図１３】図１２における放射素子部分を取り出して示す正面図である。
【図１４】従来のコーナーリフレクタアンテナのＶＳＷＲ特性を示す図である。
【発明を実施するための形態】
【００３１】
以下、本発明の実施の形態について図面を参照して詳細に説明する。
【実施例１】
【００３２】
図１は本発明の実施例１に係るコーナーリフレクタアンテナ４０の全体の構成を示したもので、（ａ）は正面図、（ｂ）は側面図である。なお、実施例１に係るコーナーリフレクタアンテナ４０は、ＵＨＦ−ＴＶ帯に使用する場合を例として示している。また、従来のコーナーリフレクタアンテナ１０と同一部分には同一符号を付して詳細な説明は省略する。
【００３３】
従来のアンテナは、例えばＵＨＦ−ＴＶ帯をＡ、Ｂ、Ｃ、Ｄの４バンドに区分し、更に各バンドを４バンド区分して合計１６バンド区分としたＶＳＷＲ規格を満足する帯域となっているが、本実施例１に係るアンテナでは上記Ａ、Ｂ、Ｃ、Ｄのバンド区分に対応するＨ２、Ｈ１、Ｍ、Ｌの４バンド区分のＶＳＷＲ規格に適応できるように広帯域化を図っている。
【００３４】
上記Ｈ２、Ｈ１、Ｍ、Ｌのバンド区分は、
Ｈ２バンド：４４〜６２ｃｈ（６５６〜７７０ＭＨｚ）
Ｈ１バンド：３３〜４７ｃｈ（５９０〜６８０ＭＨｚ）
Ｍバンド  ：２３〜３５ｃｈ（５３０〜６０８ＭＨｚ）
Ｌバンド  ：１３〜２５ｃｈ（４７０〜５４８ＭＨｚ）
となっている。
【００３５】
図１（ａ）、（ｂ）において、１１は例えば９０度のコーナー反射板で、その中央部には水平方向に給電部取付基板１２が設けられており、この給電部取付基板１２に給電部１３が取付けられる。この給電部１３は、給電管１４の後端部が給電部取付基板１２から後方に所定長さ突出して設けられ、その先端部にフランジ１５ａ、１５ｂを介して給電用コネクタ１６が取付けられる。この給電用コネクタ１６には、給電用同軸ケーブル１７が接続されている。そして、上記給電部１３の上端部に放射素子５０が設けられる。
【００３６】
また、上記コーナー反射板１１の正面には、例えば合成樹脂等により構成した防雪カバー１８が設けられる。なお、前記防雪カバー１８の側部１８ａは垂直偏波時に天空方向を向くため、雪の重さに耐えるように例えばアルミニューム板等の金属板によりに構成される。
【００３７】
上記給電部１３及び放射素子５０は、図２（ａ）、（ｂ）及び図３に示すように構成される。
【００３８】
図２は上記コーナーリフレクタアンテナ４０における給電部１３及び放射素子５０の詳細な構成を示したもので、（ａ）は正面図、（ｂ）は平面図である。図３は図２における放射素子５０を取り出して示す正面図である。
【００３９】
給電部１３は、図２（ａ）、（ｂ）に示すように台座２１の上に（＋）側平行線路２２ａ及び（−）側平行線路２２ｂからなる平行線路２２が設けられる。上記（＋）側平行線路２２ａ及び（−）側平行線路２２ｂは、断面が略Ｌ字型に形成され、その一辺が所定の間隔例えば約１０ｍｍの間隔を保って平行に設けられる。上記（−）側平行線路２２ｂには、上端部及び下端部近傍の角部に切欠き３０ａ、３０ｂが設けられる。
【００４０】
上記平行線路２２の長さＬ６は、全バンドに共通の長さの約０．３７λａに設定される。上記λａはＨ２、Ｈ１、Ｍ、Ｌの各バンドにおける中心周波数の波長を示している。
【００４１】
上記（＋）側平行線路２２ａ及び（−）側平行線路２２ｂの上端部には、放射素子５０を構成する（＋）側放射素子５１ａ及び（−）側放射素子５１ｂが装着される。上記（＋）側放射素子５１ａは、内側端部が（＋）側平行線路２２ａの上端部にボルト２４により固定され、（−）側放射素子５１ｂは、内側端部が（−）側平行線路２２ｂの上端部にボルト２５により固定される。
【００４２】
上記（＋）側放射素子５１ａ及び（−）側放射素子５１ｂは、図３に示すように水平方向の長さＬ２が約０．２０λａ、幅Ｗ２が約０．０７λａの長方形状に形成され、上側中央に突部５２が設けられる。すなわち、（＋）側放射素子５１ａ及び（−）側放射素子５１ｂは、突部５２を設けて凸型形状となるように形成している。上記突部５２は、長さＬ３が約０．０８λａ、突出高さｈが約０．０１λａに設定される。
【００４３】
また、（＋）側放射素子５１ａ及び（−）側放射素子５１ｂは、内側端部から突部５２までの長さＬ４が約０．０７λａ、外側端部から突部５２までの長さＬ５が約０．０５λａに設定される。
【００４４】
上記のように（＋）側放射素子５１ａ及び（−）側放射素子５１ｂは、従来における放射素子２３に比較して長さＬ２は同じであるが、幅Ｗ２が広く形成され、且つ凸型形状となるように形成される。
【００４５】
そして、（＋）側放射素子５１ａ及び（−）側放射素子５１ｂには、相対向する内側の下側近傍に固定用のボルト穴５３、５４が設けられる。（＋）側放射素子５１ａ及び（−）側放射素子５１ｂは、ボルト穴５３、５４内に上記ボルト２４、２５が挿入され、上記（＋）側平行線路２２ａ及び（−）側平行線路２２ｂに固着される。
【００４６】
上記（＋）側放射素子５１ａ及び（−）側放射素子５１ｂは、（＋）側平行線路２２ａ及び（−）側平行線路２２ｂに装着された際、上側縁が（＋）側平行線路２２ａ及び（−）側平行線路２２ｂの上端部より上方に所定長さ突出するように各部の寸法が設定される。
【００４７】
また、上記（＋）側平行線路２２ａと（−）側平行線路２２ｂとの間には、トラップ２８が移動可能に設けられる。
【００４８】
そして、（−）側平行線路２２ｂの内側に沿って給電管１４が設けられる。この給電管１４は、平行線路２２より長く設定され、上端が平行線路２２の上端に一致し、下端部が平行線路２２より所定長さ下方に突出するように配置される。また、給電管１４は中心導体１４１及び外部導体１４２からなり、下端部にフランジ１５ａが設けられる。
【００４９】
上記（−）側平行線路２２ｂには、切欠き３０ａ、３０ｂ部分に例えばウォームバンド等の金属バンド３１ａ、３１ｂを取付け、この金属バンド３１ａ、３１ｂにより給電管１４及び（−）側平行線路２２ｂを共に締め付けて固定すると共に、給電管１４を（−）側平行線路２２ｂに電気的に接触させる。
【００５０】
上記給電管１４の上端部分は、図４に示すように構成される。図４は給電管１４の上端部及びジャンパー取付け部の詳細な構成を示したもので、（ａ）は要部斜視図、（ｂ）は要部断面図である。
【００５１】
給電管１４の外部導体１４２は、上部開口部に合成樹脂により略円柱状に形成した保持部材６１が装着される。保持部材６１は、中心軸に沿って透孔が設けられると共に内略中央より下側が径小に形成され、この径小部６２が外部導体１４２の上部開口部内に圧入される。給電管１４の中心導体１４１は、保持部材６１に設けられた透孔に挿入され、外部導体１４２の中心軸に沿って保持される。この場合、中心導体１４１は、上端部が保持部材６１より上方に所定長さ突出するように設けられ、その上方に突出した部分にネジ部３２が形成される。
【００５２】
一方、外部導体１４２は、上端部に近接した側部の周縁に２個所、絞り加工により内側に突出する突部６３ａ、６３ｂを設け、この突部６３ａ、６３ｂを保持部材６１の径小部６２に圧接して保持部材６１を保持している。この保持部材６１は、外部導体１４２内に挿入した部分において、外部導体１４２の開口端部近傍にＯリング６４を介在して防水処理している。
【００５３】
また、外部導体１４２の上面には、透孔の周縁にテーパ状の溝６５が設けられ、この溝６５内にて中心導体１４１に圧接するように防水用のＯリング６６が設けられる。
【００５４】
そして、中心導体１４１には、保持部材６１より上方に突出しているネジ部３２にワッシャ６７を介してナット３４が螺着される。更に、中心導体１４１のネジ部３２にはナット３４の上にジャンパー３６を介在してナット３５を螺着し、締め付けてジャンパー３６の一方の端部を固定する。
【００５５】
上記のように給電管１４の中心導体１４１は、外部導体１４２及び（−）側平行線路２２ｂとは絶縁した状態でジャンパー３６に接続される。
【００５６】
一方、（＋）側平行線路２２ａは、上端に基板３３が設けられ、この基板３３の中央部にボルト穴が設けられる。このボルト穴に下方から上方に突出するようにボルト３７が挿入され、その上側にナット３８が螺着されて固定される。また、ボルト３７には、ナット３８上にジャンパー３６の他方の端部を載置し、ナット３９を螺着してジャンパー３６を固定する。上記ジャンパー３６とナット３５との間及びジャンパー３６とナット３９との間には、必要に応じてワッシャを介在させる。
【００５７】
上記中心導体１４１のネジ部３２及びナット３４、３５の部分は、一方の給電端子を構成し、ボルト３７及びナット３８、３９は他方の給電端子を構成している。ジャンパー３６は、両端に設けられた透孔を利用して上記給電端子間に装着し、ナット３５、３９を締め付けて固定する。これにより給電管１４の中心導体１４１がジャンパー３６を介して（＋）側平行線路２２ａに接続される。上記放射素子５０とジャンパー３６の中心との間隔Ｄは、約０．０３λａに設定される。
【００５８】
上記のように構成されたコーナーリフレクタアンテナ４０は、給電用同軸ケーブル１７（図１参照）により給電部１３の平行線路２２を介して（＋）側放射素子５１ａ及び（−）側放射素子５１ｂに給電され、該（＋）側放射素子５１ａ及び（−）側放射素子５１ｂから外部空間へ電波が放射される。
【００５９】
上記実施例１に示したように、放射素子５０の幅Ｗ２を従来の放射素子より広く形成し、その上縁を（＋）側平行線路２２ａ及び（−）側平行線路２２ｂの上端より上方に突出させ、放射素子５０を給電部１３の上端に位置するジャンパー３６と所定の間隔Ｄで対向するように配置して放射素子５０とジャンパー３６とを容量結合させている。
【００６０】
上記のように放射素子５０と給電部１３の上端に位置するジャンパー３６とを所定の間隔Ｄで対向配置し、放射素子５０とジャンパー３６とを容量結合させることにより、ＶＳＷＲ特性の広帯域化を図ることができる。
【００６１】
また、放射素子５０は、（＋）側放射素子５１ａ及び（−）側放射素子５１ｂの上側縁に突部５２を設けて凸型形状とすることにより、更に広帯域化を図ることができる。
【００６２】
図５は、実施例１に係るコーナーリフレクタアンテナ４０をＬバンド（１３〜２５ｃｈ：４７０〜５４８ＭＨｚ）に設定した場合におけるＶＳＷＲ特性例であり、横軸に周波数（ＭＨｚ）をとり、縦軸にＶＳＷＲをとって示した。
【００６３】
本実施例１に係るコーナーリフレクタアンテナ４０によれば、例えばＬバンドに設定した場合、図５に示したように１３〜２５ｃｈをカバーする４７０〜５４８ＭＨｚの広帯域に亘ってＶＳＷＲを１．１５以下とすることができる。
【００６４】
図５は、コーナーリフレクタアンテナ４０をＬバンドに設定した場合のＶＳＷＲ特性例を示したが、その他のバンドに設定した場合においても、Ｈ２、Ｈ１、Ｍ、Ｌの各バンドの全帯域に亘って良好なＶＳＷＲ特性とすることができる。
【００６５】
図６は、上記実施例１に係るコーナーリフレクタアンテナ４０の各バンドにおけるＥ面指向性（ｄＢ目盛り極座標）を示したもので、実線ｆＬは各バンドにおける低域周波数の指向性、破線ｆ０は各バンドにおける中心周波数の指向性、一点鎖線ｆＨは各バンドにおける高域周波数の指向性を示している。
【００６６】
上記実施例１によれば、１６バンド区分から４バンド区分へ大幅な帯域化を図ることができ、例えばＤ１バンド内の１ｃｈとＤ４バンド内の１ｃｈを同一場所から送信したい場合、Ｌバンド１種類のアンテナで共用して使用することができ、鉄塔の建設コストを低減することができる。
【実施例２】
【００６７】
次に本発明の実施例２に係るコーナーリフレクタアンテナについて説明する。
【００６８】
この実施例２に係るコーナーリフレクタアンテナは、実施例１に係るコーナーリフレクタアンテナ４０で生じているＥ面指向性の若干のずれを修正したものである。
【００６９】
図７は本発明の実施例２に係るコーナーリフレクタアンテナにおける給電部１３及び放射素子５０Ａの詳細な構成を示したもので、（ａ）は正面図、（ｂ）は平面図である。図８は図７における放射素子５０Ａを取り出して示す正面図である。
【００７０】
この実施例２に係るコーナーリフレクタアンテナは、放射素子５０Ａを構成する（＋）側放射素子５１ａ及び（−）側放射素子５１ｂの寸法が実施例１と異なるのみで、給電部１３は実施例１の場合と同じ構成であるので、同一部分には同一符号を付して詳細な説明は省略する。
【００７１】
実施例２では、（＋）側放射素子５１ａの全長Ｌ２ａを約０．２１λａ、（−）側放射素子５１ｂの全長Ｌ２ｂを約０．２０λａとし、（＋）側放射素子５１ａの全長Ｌ２ａを（−）側放射素子５１ｂの全長Ｌ２ｂより少し長く設定する。この場合、例えば（＋）側放射素子５１ａの外側端から突部５２までの長さＬ５ａを実施例１に示した０．０５λａより約０．０１λａだけ長い約０．０６λａに設定することにより、（＋）側放射素子５１ａの全長Ｌ２ａを（−）側放射素子５１ｂの全長Ｌ２ｂより長くしている。
【００７２】
上記（＋）側放射素子５１ａ及び（−）側放射素子５１ｂにおけるその他の寸法は、実施例１の場合と同じ値に設定される。
【００７３】
給電管１４より平行線路２２を介して放射素子２３に給電した場合、（＋）側放射素子２３ａの給電位相は（−）側放射素子２３ｂの給電位相に比較してジャンパー３６を介して給電される分だけ位相の遅れが発生し、これによりＥ面指向性の最大利得の方向が正面方向に対して若干のずれを生じる。このため実施例２では、（＋）側放射素子２３ａの長さを（−）側放射素子２３ｂより少し長く、例えば約０．０１λａだけ長く形成することにより、（＋）側放射素子２３ａに対する低域周波数における給電位相の遅れを補償している。
【００７４】
図９は、この実施例２に係るコーナーリフレクタアンテナの各バンドにおけるＥ面指向性（ｄＢ目盛り極座標）を示したもので、実線ｆＬは各バンドにおける低域周波数の指向性、破線ｆ０は各バンドにおける中心周波数の指向性、一点鎖線ｆＨは各バンドにおける高域周波数の指向性を示している。
【００７５】
図１０は、上記実施例１に係るコーナーリフレクタアンテナ４０の各バンドにおける低域周波数のＥ面指向性（破線ｆＬａ）と実施例２に係るコーナーリフレクタアンテナの各バンドにおける低域周波数のＥ面指向性（実線ｆＬｂ）とを比較して示したものである。
【００７６】
実施例１に係るコーナーリフレクタアンテナ４０の各バンドにおける低域周波数のＥ面指向性（破線ｆＬａ）は正面方向から約２〜３°右方向にずれているが、実施例２に係るコーナーリフレクタアンテナの各バンドにおける低域周波数のＥ面指向性（実線ｆＬｂ）では、最大利得が正面方向に向いている。すなわち、実施例２に係るコーナーリフレクタアンテナの各バンドにおける低域周波数のＥ面指向性（実線ｆＬｂ）は、実施例１に係るコーナーリフレクタアンテナ４０の各バンドにおける低域周波数のＥ面指向性（破線ｆＬａ）のずれを修正したものとなっている。
【００７７】
なお、本発明は、上記実施の形態そのままに限定されるものではなく、実施段階ではその要旨を逸脱しない範囲で構成要素を変形して具体化できるものである。
【符号の説明】
【００７８】
１０…コーナーリフレクタアンテナ、１１…コーナー反射板、１２…給電部取付基板、１３…給電部、１４…給電管、１４１…給電管の中心導体、１４２…給電管の外部導体、１５ａ、１５ｂ…フランジ、１６…給電用コネクタ、１７…給電用同軸ケーブル、１８…防雪カバー、２１…台座、２２…平行線路、２２ａ…（＋）側平行線路、２２ｂ…（−）側平行線路、２３…放射素子、２３ａ…（＋）側放射素子、２３ｂ…（−）側放射素子、２４、２５…ボルト、２６、２７……ボルト穴、２８…トラップ、３０ａ、３０ｂ…切欠き、３１ａ、３１ｂ…金属バンド、３２…ネジ部、３３…基板、３４、３５…ナット、３６…ジャンパー、３７…ボルト、３８、３９…ナット、４０…コーナーリフレクタアンテナ、５０…実施例１に係る放射素子、５０Ａ…実施例２に係る放射素子、５１ａ…（＋）側放射素子、５１ｂ…（−）側放射素子、５２…突部、５３、５４…ボルト穴、６１…保持部材、６２…径小部、６３ａ、６３ｂ…突部、６４、６６…Ｏリング、６５…溝、６７…ワッシャ。
【図１】
2012151567.tif 000003
【図２】
2012151567.tif 000004
【図３】
2012151567.tif 000005
【図４】
2012151567.tif 000006
【図５】
2012151567.tif 000007
【図６】
2012151567.tif 000008
【図７】
2012151567.tif 000009
【図８】
2012151567.tif 000010
【図９】
2012151567.tif 000011
【図１０】
2012151567.tif 000012
【図１１】
2012151567.tif 000013
【図１２】
2012151567.tif 000014
【図１３】
2012151567.tif 000015
【図１４】
2012151567.tif 000016